(57)【特許請求の範囲】
【請求項１】
手提げ袋（１０）の口元を所定の幅内側に折返部（１０ａ）として折り返し、この手提げ袋の上端内面の折返部（１０ａ）によって覆われる部位には、提手紐（１，１）を取り付けた口元補強板（２）を貼付するようになした手提げ袋の提手において、
上記口元補強板（２）は、厚紙等の板材を縦断面略逆Ｕ字状に二つ折りして外面側部材（２ａ）と該外面側部材（２ａ）の上端で連通する内面側部材（２ｂ）とを有する形状となし、該外面側部材（２ａ）には提手紐（１）の両端を挿通する通孔（３，３）を開穿し、
上記提手紐（１）の両端を、前記通孔（３、３）に適合して前記手提げ袋（１０）に設けた通孔（３ａ、３ａ）と口元補強板（２）の通孔（３，３）に、外面側部材（２ａ）の外側より内側に向けて挿通し、該提手紐（１）の、通孔（３，３）より貫出した部位を折曲部（１ａ）としてＵ字状に折り曲げて前記口元補強板（２）の内面に糊着し、該口元補強板（２）を手提げ紐１０の折返部（１０ａ）で覆い隠し、
この折曲部（１ａ）を口元補強板（２）の外面側部材（２ａ）と内面側部材（２ｂ）との重合部位にホットメルト型の糊材を用いた糊付け部を、該内面側部材の外側から押し潰して平らに糊着したことを特徴とする手提げ袋の提手。
【発明の詳細な説明】
【０００１】
【発明の属する技術分野】
本発明は手提げ袋の提手、特に、洋品店等で商品を収納して顧客に渡す商品包装用袋を兼ねた手提げ袋に適した手提げ袋の提手に関するものである。
【０００２】
【従来の技術】
手提げ袋本体に提手を連結する代表的な方法は、図４に示すように、手提げ袋１０の正面１１と後面１２との口元に、それぞれ提手紐１を挿通する一対の通孔３ａ，３ａを設け、提手紐１の両端を該手提げ袋１０の外側から該通孔３ａ，３ａに通して、この提手紐１の先端に、該手提げ袋１０内側で抜け止め用の結び目１ｂ，１ｂを設けてなるものである。一般的には、手提げ袋１０の口元を所定の幅内側に折返部１０ａとして折り返し、この手提げ袋１０の上端内面の折返部１０ａによって覆われる部位には、口元補強板２を貼付し、提手紐１は、この口元補強板２と折返部１０ａとを貫通するようになし、該折返部１０ａの内側に前記抜け止め用の結び目１ｂ，１ｂを設けてなるものである。
【０００３】
上記提手紐１に結び目１ｂ，１ｂを作る方式は、構成が簡易で、耐久性にも問題がないので、古くより汎用されている。しかし、この提手紐１を通孔３ａ，３ａ等を通して結ぶ作業は、機械化が困難であるので、通常手作業で行われており、この作業は意外と煩雑で手提げ袋の製造工程中、最も効率が低く、時間を要する工程とされている。
【０００４】
また、この種の提手紐を取付けた手提げ袋は、多数枚を重ねると、意外と嵩張り大きな収納スペースが要求されるという問題点と、結び目１ｂ，１ｂが露出して体裁が悪いという指摘と、収納物の出し入れに際してこの結び目に商品が引っ掛かって、繊細な品質の商品が損傷する危険性がある等の問題点を有するものである。
【０００５】
【発明が解決しようとする課題】
そこで本発明は、上記問題点に鑑みてなされたもので、提手紐を手提げ袋に簡単に取付けられ、手提げ袋の内面に向けて商品の出し入れに支障となる突出部の全く無い手提げ袋の提手を提供することを課題としたものである。
【０００６】
【課題を解決するための手段】
上記課題を達成するため、本発明は、手提げ袋１０の口元を所定の幅内側に折返部１０ａとして折り返し、この手提げ袋の上端内面の折返部１０ａによって覆われる部位には、提手紐１、１を取り付けた口元補強板２を貼付するようになした手提げ袋の提手において、上記口元補強板２は、厚紙等の板材を縦断面略逆Ｕ字状に二つ折りして外面側部材２ａと該外面側部材２ａの上端で連通する内面側部材２ｂとを有する形状となし、該外面側部材２ａには提手紐１の両端を挿通する通孔３、３を開穿し、上記提手紐１の両端を、前記通孔３、３に適合して前記手提げ袋１０に設けた通孔３ａ、３ａと口元補強板２の通孔３、３に、外面側部材２ａの外側より内側に向けて挿通し、該提手紐１の、通孔３、３より貫出した部位を折曲部１ａとしてＵ字状に折り曲げて前記口元補強板２の内面に糊着し、該口元補強板２を手提げ紐１０の折返部１０ａで覆い隠し、この折曲部１ａを口元補強板２の外面側部材２ａと内面側部材２ｂとの重合部位にホットメルト型の糊材を用いた糊付け部を、該内面側部材の外側から押し潰して平らに糊着したことを特徴とする。
【０００７】
それ故、本発明の手提げ袋の提手は、口元補強板２を手提げ袋１０の口元に貼付し、提手紐１を該手提げ袋１０の外側に取り出し、この口元補強板２は手提げ袋１０の上端折返部１０ａで覆い隠すことで、提手紐１を該手提げ袋１０に取り付けられ、該手提げ袋１０の内面側は、口元補強板２が上端折返部１０ａで覆い隠され、提手紐１の端部折返部（連結部）が露出せず、体裁が向上する作用と、上端折返部１０ａの隠蔽で平滑化がなされ、収納商品の出し入れに支障となる突出部を上記折返部１０ａで覆う作用を呈する。
【０００８】
【０００９】
本発明の手提げ袋の提手は、上記作用に加えて、口元補強板２を二つ折り状となしたので、口元補強がより強靱となる作用を呈し、さらに、提手紐１の端部折返部を該内面部材２ｂで覆うので、より確実に突出部が覆い隠される作用を呈するものである。
【００１０】
なお、この口元補強板２の外面側部材２ａと内面側部材２ｂとで、提手紐１の端部折曲部１ａを挟持して両者を糊着すると、該手提紐１と口元補強板２との糊着部の抗力が大きくなる作用をも呈するものである。
【００１１】
【実施例】
以下、本発明の実施例を図示例と共に説明する。図中、１０が従来公知な手提げ袋で、この手提げ袋１０は通常紙製（合成樹脂シート等他の材質でもよい。）で、正面１１と後面１２と両マチ面１３，１３と底面１４とで、上部開口袋状に構成され、この上部開口部はその上端から所定幅を内側に折返部１０ａとして折り返し、この上端折返部１０ａの内部に厚紙等からなる口元補強板２，２が貼付・収納（通常、正面１１と後面１２との内面に糊着）されてなる。そして、この口元補強板２に提手紐１を取り付けてあるのは従来と同じである。
【００１２】
上記手提紐１は、布地製の帯体、繊維を筒紐状となしたもの、紙又は樹脂フィルムを紐状に撚ったもの、紙紐を並べて帯状に糊着したもの等、従来公知なものを使用すればよいが、扁平なもの又は繊維製で押し潰すと扁平になり易いものが適している。
【００１３】
そして、本発明は、上記提手紐１の両端を、口元補強板２に開穿した通孔３，３に挿通し、該提手紐１の通孔３，３より貫出した部位を折曲部１ａとして折り曲げて、この折曲部１ａを口元補強板２に糊着してなる。すなわち、提手紐１はその両端を口元補強板２に糊着して連結されるが、口元補強板２に開穿した通孔３，３を挿通して、該提手紐１の通孔３，３より貫出した部位を折曲部１ａとして折り曲げ、該口元補強板２の内面に糊着することで、該手提紐１を握持して手提げ袋１０を提げた際の荷重に対する抗力を補強している。
【００１４】
上記折曲部１ａは、通常、図２に示すように、その先端が上方に向き、提手紐１を握持して手提げ袋１０を吊り下げた際に、該手提紐１の両端がＵ字状に折り返されるようになし、比較的強度の大きくとれる接着面方向の引っ張り強度で荷重に抗するようになしてある。なお、実際に製造したところでは、折曲部１ａを「図２」下方に向けると、該手提紐１の連結部の強度が多少低下するも、横方向に折り曲げるなど、その他の方向に折り曲げた場合、実用上はその強度の低下はほとんど認められなかった。
【００１５】
なお、上記提手紐１の両端を口元補強板２に糊着したものを、手提げ袋１０の口元に貼付してもよいが、この場合は、該手提紐１の主体部を手提げ袋１０の外に体裁よく取り出すのに工夫（後記する）が必要なので、通常は、提手紐１を有さない口元補強板２を手提げ袋１０（正面１１と後面１２との内面）の所定の位置に貼付し、この口元補強板２の通孔３，３に適合して手提げ袋１０にも通孔３ａ，３ａを設け、提手紐１の両端は手提げ袋１０の外側から通孔３ａ，３ａと通孔３，３に挿通するようにすると、この手提紐１は手提げ袋１０に体裁よく取り付けることができるものであり、さらには、製造の機械化が容易となるものである。
【００１６】
上記口元補強板２への糊着は、ホットメルト型の糊材を使用するのが適しており、加熱溶融しているホットメルト型の糊材を使用して、この糊着部位を機械的に押し潰しつつ冷却することで、手提紐１の連結部（上端折返部）が薄く仕上がるものであった。なお、この口元補強板２は折返部１０ａの内側に覆い隠されるもので、この折返部１０ａは口元補強板２の内面に糊着してもよい。
【００１７】
そして、手提紐１が予め固定された口元補強板２を糊着する場合、該口元補強板２はその上方が折り返された折返部１０ａで覆われるため、この折返部１０ａ等を貫通して手提紐１を外方に貫出しなくてはならない。この手提紐１の折返部１０ａよりの貫出法としては、折返部１０ａに逆Ｊ字状又は逆Ｌ字状の切り込みを入れて、この切り込みより手提紐１を外方に貫出する方法、折返部１０ａの上部又は上端に手提紐１を貫出するスリットを設ける方法等が従来より行われている。
【００１８】
次に、本発明の第２実施例について説明する。手提げ袋１０の口元を所定の幅内側に折返部１０ａとして折り返し、この手提げ袋１０の上端内面の折返部１０ａによって覆われる部位には、提手紐１，１を取り付けた口元補強板２を貼付するようになした手提げ袋の提手において、上記口元補強板２を、厚紙等の板材を縦断面略逆Ｕ字状に二つ折りして外面側部材２ａと該外面側部材２ａの上端で連通する内面側部材２ｂとを有する形状となし、該外面側部材２ａには、提手紐１の両端を挿通する通孔３，３を開穿してある。
【００１９】
すなわち、本発明は、口元補強板２を厚紙等の板材を縦断面略逆Ｕ字状に二つ折りして構成したものである。口元補強板２を二つ折りして構成すると、口元の補強は倍増できるものであるが、その他に、手提紐１の糊着力が強化される利点と、製造の機械化に有利であるという利点とを有するものである。なお、口元補強板２を二つ折りして構成するには、予め二つ折り部に折り線を設けておくか、図３に示すように折り線に代えて切溝を設け（外面側部材２ａと内面側部材２ｂとを別個に構成し）て、手提げ袋１０の口元に貼付しておくと糊着、折曲等の工程の機械化に便利である。
【００２０】
口元補強板２を二つ折りして構成したことによる、手提紐１の糊着力の強化であるが、手提紐１の糊着に際して、外面側部材２ａと内面側部材２ｂとを共に糊着する。すると、手提紐１が抜け落ちるには、この外面側部材２ａと内面側部材２ｂとの糊着を解かないと不可能となるので、手提紐１の糊着力に、糊着面積の大きな外面側部材２ａと内面側部材２ｂとの糊着が影響力を加えるためである。
【００２１】
また、口元補強板２を二つ折りして構成したことによる、製造の機械化の有利性であるが、前記したように、ホットメルト型の糊材を使用した場合、糊付け部を押し潰して平らに仕上げるには、機械的に押し潰す必要性がある。しかし、無理矢理この押し潰しを行うと、手提げ袋１０の一部である折返部１０ａに思わぬ方向の力が加わり、破損することがある。しかし、本発明では、当初立体的である手提紐１の折返部１ａを厚手の内面側部材２ｂを途中に介在させ、内面側部材２ｂの外側より押し潰すことになるので、該内面側部材２ｂはその外力が局所に集中するのを防ぎ、外力を分散・均一化するので、折返部１ａの破損の心配がないためであり、さらには、上記した折り線又は切溝でさらに機械化が容易となるものである。
【００２２】
そして、上記提手紐１の両端を、口元補強板２の通孔３，３に、外面側部材２ａの外側より内側に向けて挿通し、該提手紐１の通孔３，３より貫出した部位を折曲部１ａとして折り曲げ、この折曲部１ａを口元補強板２の外面側部材２ａと内面側部材２ｂとの重合部位に糊着してなるのは、第１実施例と同じ構成であるが、前記したように、外面側部材２ａと内面部材２ｂとの重合面を相互に糊着することが望ましい。
【００２３】
なお、図２では、折曲部１ａの下部を内面側部材２ｂに貼付していないが、機械的に製造する場合は、該折曲部１ａの下部を図２とは異なり、内面側部材２ｂに貼付してもよいのは無論である。
【００２４】
【発明の効果】
本発明によると、通常の使用状態では手提紐１の手提げ袋１０への連結部（上端折返部）が全く見えない、体裁のよい手提げ袋の提手を提供できるものである。
【００２５】
また、本発明は、手提紐１の手提げ袋１０への連結部（上端折返部）が無論突出はするが、この突出部が折曲部１ａ又は内面部材２ｂで覆われ、平滑化されるので、収納物の出し入れに際して、収納物が引っ掛かることのない手提げ袋の提手を提供できるものである。
【００２６】
特に、手提紐１の糊着力が強化でき、機械的製造が容易となる手提げ袋の提手を提供できるものである。
【図面の簡単な説明】
【図１】  本発明手提げ袋の提手の一実施例を有した手提げ袋の斜視図である。
【図２】  Ａ−Ａ線部拡大断面図である。
【図３】  別の実施例での、折返部を折り曲げる前の手提げ袋の内面正面図である。
【図４】  従来例の手提げ袋の斜視図である。
【符号の説明】
１      手提紐
１ａ    折曲部
２      口元補強板
２ａ    外面側部材
２ｂ    内面側部材
３      通孔
３ａ    通孔
１０      手提げ袋
１０ａ    折返部
【図１】
0003657929.tif 000002
【図２】
0003657929.tif 000003
【図３】
0003657929.tif 000004
【図４】
0003657929.tif 000005